(57)【要約】【課題】自動スキャンが可能なイメージスキャニング装置を提供する。【解決手段】自動スキャンが可能なイメージスキャニング装置は、プラットフォーム、光源、イメージセンサー、駆動ユニット、および、コントローラーを含む。プラットフォームは物件を支えるのに用いられる。光源は照明光を提供する。イメージセンサーは、物件のイメージを捕捉するのに用いられる。駆動ユニットは、イメージセンサーを駆動して、イメージセンサーを物件に相対して移動させる。コントローラーは感知イメージを分析して、プラットフォームに物件が存在するか判断すると共に、物件が存在時、スキャン工程を起動する。イメージスキャニング装置は、別にハードウェア素子を設置しなくても、スキャン工程を自動的に起動でき、且つ、ユーザーの操作を簡潔にすることができる。【選択図】図１
2012235362.tif 000002
【特許請求の範囲】
【請求項１】
自動スキャンが可能なイメージスキャニング装置であって、
物件を支えるプラットフォームと、
前記プラットフォームの一側に設置されて、照明光を提供する光源と、
前記物件が反射する前記照明光の反射光を捕捉して、感知イメージを出力するイメージセンサーと、
前記イメージセンサーを駆動して、前記イメージセンサーを前記物件に相対して移動させる駆動ユニットと、
前記イメージセンサーと前記駆動ユニットとに電気的に接続され，前記感知イメージを分析し、前記プラットフォームに前記物件が存在するかを判断すると共に、前記物件が存在する時、スキャン工程を起動するコントローラーと、
を含むことを特徴とする自動スキャンが可能なイメージスキャンニング装置。
【請求項２】
前記コントローラーは、前記イメージセンサーを複数の感知ブロックに分け、且つ、所定数量を超過する前記感知ブロックが前記物件を検出する時、前記物件が存在すると判定することを特徴とする請求項１に記載の自動スキャンが可能なイメージスキャンニング装置。
【請求項３】
前記コントローラーは、前記イメージセンサーを複数の感知ブロックに分け、ユーザーは、特定の前記感知ブロックにより捕捉される前記感知イメージを変化させることにより、対応する操作を実行することを特徴とする請求項１または２に記載の自動スキャンが可能なイメージスキャンニング装置。
【請求項４】
前記イメージセンサーが、一回、または、複数回捕捉される前記感知イメージを捕捉して、前記コントローラーに一回、または、複数回捕捉される前記感知イメージを分析させると共に、前記プラットフォームの上に前記物件が存在するかを判断することを特徴とする請求項１から３のいずれかの一項に記載の自動スキャンが可能なイメージスキャンニング装置。
【請求項５】
前記光源は、前記プラットフォームに前記物件が存在しない時、恒久的、または、断続的に発光することを特徴とする請求項１から４のいずれかの一項に記載の自動スキャンが可能なイメージスキャンニング装置。
【請求項６】
前記光源は、発光ダイオード、または、冷陰極蛍光ランプを含むことを特徴とする請求項１から５のいずれかの一項に記載の自動スキャンが可能なイメージスキャンニング装置。
【請求項７】
前記イメージセンサーは、前記プラットフォームの下側に設置され、且つ、前記プラットフォームは透明材質であることを特徴とする請求項１から６のいずれかの一項に記載の自動スキャンが可能なイメージスキャンニング装置。
【請求項８】
前記イメージセンサーは、点、線、面、または、不規則形状のイメージセンサーであることを特徴とする請求項１から７のいずれかの一項に記載の自動スキャンが可能なイメージスキャンニング装置。
【請求項９】
前記イメージセンサーは、電荷結合素子、相補型ＭＯＳセンサー、または、密着型イメージセンサーを含むことを特徴とする請求項１から８のいずれかの一項に記載の自動スキャンが可能なイメージスキャンニング装置。
【発明の詳細な説明】
【技術分野】
【０００１】
本発明は、イメージスキャニング装置に関するものであって、特に、自動スキャンが可能なイメージスキャニング装置に関するものである。
【背景技術】
【０００２】
公知のイメージスキャニング装置は、多くが、裝置本身により提供されるボタン、または、コンピュータによるソフトウェア方式でスキャン工程を起動するもので、操作が煩雑である。大量の文件をデジタル化しなければならないユーザーにとって、自動的にスキャンする功能がないので、スキャン効率を大幅に低下させている。
現在、自動スキャン功能を有するイメージスキャニング装置は、スイッチ、または、センサーを設置し、イメージスキャニング装置の上蓋が閉じているかを判断することにより、スキャン工程を起動する。これにより、別にハードウェア素子を追加して、コストを増加し、操作時、ユーザーは、上蓋を閉めないと、スキャン工程を起動しないので、効果的にスキャン効率を向上することができない。
よって、いかにして、ユーザーの操作を簡潔にし、且つ、別にハードウェア素子を設置しなくても、イメージスキャニング装置がスキャン工程を起動することができるようにするかが、現在の目標である。
【発明の概要】
【発明が解決しようとする課題】
【０００３】
本発明は、自動スキャンが可能なイメージスキャニング装置を提供し、スキャン効率を向上させることを目的とする。
【課題を解決するための手段】
【０００４】
本発明は、自動スキャンが可能なイメージスキャニング装置を提供し、イメージスキャニング装置自身のイメージセンサーにより、プラットフォーム上のイメージを捕捉し、イメージ分析により、プラットフォーム上に物件が存在するか判断する。プラットフォーム上に物件が存在する場合、本発明のイメージスキャニング装置は、スキャン工程を起動する。
本発明の１つの実施例による自動スキャンが可能なイメージスキャニング装置は、プラットフォーム、光源、イメージセンサー、駆動ユニット、および、コントローラーを含む。プラットフォームは物件を支えるのに用いられる。光源は、プラットフォームの一側に設置されて、照明光を提供する。イメージセンサーは、物件が照明光を反射する反射光を捕捉し、感知イメージを出力する。駆動ユニットは、イメージセンサーを駆動し、物件を相対して移動させる。コントローラーはイメージセンサーと駆動ユニットとに電気的に接続されて、感知イメージを分析して、プラットフォームに物件が存在するか判断すると共に、物件が存在時に、スキャン工程を起動する。
【発明の効果】
【０００５】
本発明のイメージスキャニング装置により、別にハードウェア素子を設置しなくても、自動的にスキャン工程を起動することができ、コストが減少でき、且つ、ユーザーの操作を簡潔にし、スキャン効率を向上させることができる。
【図面の簡単な説明】
【０００６】
【図１】本発明の１つの実施例による自動スキャンが可能なイメージスキャニング装置を示す図である。
【図２ａ】本発明の１つの実施例によるイメージセンサーの感知ブロックの配置を示す図である。
【図２ｂ】本発明の１つの実施例によるイメージセンサーの感知ブロックの配置を示す図である。
【図３】本発明の１つの実施例による自動スキャンが可能なイメージスキャニング装置のスキャンステップを示す図である。
【発明を実施するための形態】
【０００７】
図１を参照すると、本発明の１つの実施例による自動スキャンが可能なイメージスキャニング装置１は、プラットフォーム１１、光源１２、イメージセンサー１３、駆動ユニット１４、および、コントローラー１５を含む。プラットフォーム１１は物件２０、例えば、文件、書籍等を支えるのに用いられる。光源１２は、プラットフォーム１１の一側に設置されて、照明光を提供する。例えば、光源１２は、発光ダイオード、または、冷陰極蛍光ランプ（ｃｏｌｄ  ｃａｔｈｏｄｅ  ｆｌｕｏｒｅｓｃｅｎｔ  ｌａｍｐ，ＣＣＦＬ）である。イメージセンサー１３は、物件２０が光源１２から発する照明光を反射する光を捕捉して、感知イメージを出力する。例えば、イメージセンサー１３は、電荷結合素子（Ｃｈａｒｇｅ  Ｃｏｕｐｌｅｄ  Ｄｅｖｉｃｅ，ＣＣＤ）、相補型ＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ，ＣＭＯＳ）センサー、または、密着型イメージセンサー（Ｃｏｎｔａｃｔ  ｉｍａｇｅ  ｓｅｎｓｏｒ，ＣＩＳ）である。
１つの実施例中、プラットフォーム１１は透明材質で、光源１２とイメージセンサー１３はプラットフォーム１１の下方に設置される。光源１２から発する照明光は、プラットフォーム１１により物件２０の表面に照射される。照明光は、物件２０の表面により反射され、イメージセンサー１３により捕捉されて、イメージを形成する。注意すべきことは、本発明の精神を脱離しない範囲で、光源１２とイメージセンサー１３はプラットフォームの上方に設置してもよい。
駆動ユニット１４とイメージセンサー１３は連接して、イメージセンサー１３を駆動し、イメージセンサー１３を物件２０に相対して移動させ、大面積のイメージをスキャンする。例えば、駆動ユニット１４は、イメージセンサー１３を軌道１４１に沿って移動させ、これにより、イメージセンサー１３は、物件２０の全てのイメージを捕捉することができる。注意すべきことは、駆動ユニット１４とプラットフォーム１１は連接して、駆動ユニット１４がプラットフォーム１１をイメージセンサー１３に相対して移動させて、大面積イメージをスキャンする目的を達成することもできることである。
コントローラー１５はイメージセンサー１３と、駆動ユニット１４とに電気的に接続され、イメージセンサー１３と駆動ユニット１４とを制御し、スキャン工程を起動する。この他、コントローラー１５は、イメージセンサー１３により捕捉される感知イメージを分析して、プラットフォーム１１の上にスキャンが必要な物件２０が存在するか判断することもできる。プラットフォーム１１の上に物件２０が存在する時、例えば、イメージのプレビュー、イメージのスキャン、物件タイプに基づくスキャンパラメータの変更等のスキャン工程を起動する。
図３で、本発明のイメージスキャニング装置１の操作工程を説明する。まず、イメージスキャニング装置１をスタートアップさせるか、または、手動スキャンモードから自動スキャンモードに切り換える時、イメージセンサー１３は、所定の検出位置に移動する（Ｓ３１）と共に、イメージを捕捉する（Ｓ３２）。コントローラー１５は、イメージセンサー１３により捕捉される感知イメージを分析し（Ｓ３３）、プラットフォーム１１の上に物件２０が存在するか判断する（Ｓ３４）。プラットフォーム１１の上に物件２０が存在しない場合、イメージセンサー１３は、所定の検出位置で、イメージの捕捉を継続する。プラットフォーム１１の上に物件２０が存在する場合、コントローラー１５は、イメージセンサー１３と駆動ユニット１４を起動して、スキャン工程を実行する（Ｓ３５）。イメージスキャン完成（Ｓ３６）後、イメージセンサー１３は、所定の検出位置に移動する（Ｓ３１）と共に、イメージを捕捉して、コントローラー１５に分析、判断させる。
１つの実施例中、コントローラー１５は、一回、または、複数回捕捉される感知イメージの輝度変化に基づいて、プラットフォーム１１の上に物件２０があるか判断する。例えば、イメージセンサー１３が、所定の検出位置で、イメージを捕捉する時、光源１２は、恒久的な照明光を提供する。プラットフォーム１１上に物件２０が存在する時、物件２０は照明光を反射し、感知イメージに輝度変化を生じさせる。輝度変化が１つの設定値を超過する場合、または、輝度変化が１つの設定時間を超過する時、プラットフォーム１１の上に物件２０が存在すると判断し、コントローラー１５はスキャン工程を起動する。１つの実施例中、イメージセンサー１３が、所定の検出位置で、イメージを捕捉する時、光源１２は、断続的に発光する。プラットフォーム１１の上に物件２０が存在しない時、感知イメージの輝度変化は大きくない。感知イメージに規律的な輝度変化が生じる時、プラットフォーム１１の上に物件２０があると判断し、コントローラー１５はスキャン工程を起動する。
図２ａを参照すると、１つの実施例中、コントローラー１５は、イメージセンサー１３を複数の感知ブロック１３ａ〜１３ｅに分けると共に、それぞれ、各感知ブロック１３ａ〜１３ｅにより捕捉される感知イメージの輝度変化を分析する。例えば、物件２０は感知ブロック１３ａ、１３ｂ、１３ｃの検出範囲に置かれ、感知ブロック１３ａ、１３ｂ、１３ｃにより捕捉される感知イメージの輝度と感知ブロック１３ｄ、１３ｅにより捕捉される感知イメージの輝度に差異を生じる。コントローラー１５は、これにより、感知ブロック１３ａ、１３ｂ、１３ｃの検出範囲内に物件２０が存在すると判断し、コントローラー１５がスキャン工程を起動する。１つの実施例中、感知ブロック１３ａ〜１３ｅ中、所定数量を超過する感知ブロックが物件を検出する時だけ、物件２０の存在を判定することができる。よって、例えば、体積が設定値より小さい雜物が検出範囲内にあることで生じる輝度変化等の判断ミスを回避することができる。
図２ｂを参照すると、１つの実施例中、イメージセンサー１３は複数の感知ブロック１３ａ〜１３ｅに分けられ、コントローラー１５に、感知ブロック１３ａ〜１３ｅにより捕捉される感知イメージの輝度変化により、プラットフォーム１１の上に物件２０が存在するかを判断することができるだけでなく、コントローラー１５が、個別の感知ブロック１３ａ〜１３ｅにより捕捉される感知イメージの輝度変化に基づいて、対応する操作を実行することもできる。例えば、ユーザーの指３０が感知ブロック１３ｅの検出範囲に置かれるとき、感知ブロック１３ｅの感知イメージの輝度に変化を生じさせ、コントローラー１５が対応する操作、例えば、スキャンタイプ（白黒／グレイレベル／カラー）設定、解像度調整、手動／自動スキャンモード切り換え等を実行する。つまり、適当な配置の感知ブロック１３ａ〜１３ｅは、ユーザーの操作介面となる。注意すべきことは、感知ブロック１３ａ〜１３ｅの大小、位置等は、必要に応じて変更できることである。この他、イメージセンサー１３は、点、線、面、または、不規則形状で配置される。
総合すると、本発明の自動スキャンが可能なイメージスキャニング装置は、イメージスキャニング装置自身のイメージセンサーにより、プラットフォーム上のイメージを捕捉し、イメージ分析により、直接、プラットフォームの上に物件が存在するかを判断し、スキャン工程を起動する。これにより、本発明の自動スキャンが可能なイメージスキャニング装置は、別にハードウェア素子を設置しなくても、自動的にスキャン工程を起動することができ、コストが減少でき、且つ、ユーザーの操作を簡潔にし、スキャン効率を向上させることができる。
本発明では好ましい実施例を前述の通り開示したが、これらは決して本発明に限定するものではなく、当該技術を熟知する者なら誰でも、本発明の精神と領域を脱しない範囲内で各種の変動や潤色を加えることができ、従って本発明の保護範囲は、特許請求の範囲で指定した内容を基準とする。
【符号の説明】
【０００８】
１  自動スキャンが可能なイメージスキャニング装置
１１  プラットフォーム
１２  光源
１３  イメージセンサー
１３ａ〜１３ｅ  感知ブロック
１４  駆動ユニット
１４１  軌道
１５  コントローラー
２０  物件
３０  指
Ｓ３１〜Ｓ３６  スキャンステップ
【図１】
2012235362.tif 000003
【図２ａ】
2012235362.tif 000004
【図２ｂ】
2012235362.tif 000005
【図３】
2012235362.tif 000006